(57)【要約】【課題】１つのトリガ信号で、複数の測定ゲージからのデータ入力を、時間差を付けて入力可能とする。【解決手段】複数の測定ゲージ（３０）から測定データを取込む際に、測定データを取込むべきタイミングに応じて測定ゲージをグループ分けし、単一のトリガ信号を時分割して各グループに分配する。【選択図】図２
2006030087.tif 000002
【特許請求の範囲】
【請求項１】
複数の測定ゲージから測定データを取込む際に、
測定データを取込むべきタイミングに応じて測定ゲージをグループ分けし、
単一のトリガ信号を時分割して各グループに分配することを特徴とする測定データの取込方法。
【請求項２】
複数の測定ゲージから測定データを取込むための測定データの取込装置であって、
測定データを取込むべきタイミングに応じて測定ゲージをグループ分けした取込テーブルと、
単一のトリガ信号を時分割して各グループに分配するためのトリガ信号振分け手段と、
各グループ毎に測定データを処理する手段、
を備えたことを特徴とする測定データの取込装置。
【発明の詳細な説明】
【技術分野】
【０００１】
本発明は、複数の測定ゲージから測定データを取込むための測定データの取込方法及び装置に係り、特に、リニアゲージや電気マイクロメータ等の多点測定システムに用いるのに好適な測定データの取込方法及び装置に関する。
【背景技術】
【０００２】
リニアゲージや電気マイクロメータ等においては、一点で独立した測定を行なう他、複雑な形状の測定対象の各点に多数の測定ゲージを配置して測定データを得る多点測定も行なわれている。
【０００３】
この多点測定システムの一例として、出願人は特許文献１で、アドレス設定を自動的に行なうことができ、且つ、測定ゲージを容易に移動させることができる測定データの処理装置を提案している。
【０００４】
このような多点測定システムにおいて、データ入力のトリガとなるトリガ信号は、測定ゲージ毎に個別に与えるか、又は、全体に一括して与えていた。
【０００５】
【特許文献１】特開平１１−１２０４７４号公報
【発明の開示】
【発明が解決しようとする課題】
【０００６】
しかしながら、測定ゲージ毎に個別にトリガ信号を与える方法では、測定ゲージ毎にトリガ信号が必要となり、多くの信号線が必要となる。一方、全体に一括してトリガ信号を与える場合には、図１に示す如く、流れ作業の工程毎に測定データを得たい場合のように、ステーション１（例えば測定チャンネルＣＨ１〜３）、ステーション２（同じくＣＨ４〜１５）、ステーション３（同じくＣＨ１６〜１８）毎に製品の流れに合わせた時間差で測定データを得ることができなかった。図において、２０はパソコン（ＰＣ）である。
【０００７】
本発明は、前記従来の問題点を解決するべくなされたもので、１つのトリガ信号で、複数の測定ゲージからのデータ入力を、時間差を付けて入力可能とすることを課題とする。
【課題を解決するための手段】
【０００８】
本発明は、複数の測定ゲージから測定データを取込む際に、測定データを取込むべきタイミングに応じて測定ゲージをグループ分けし、単一のトリガ信号を時分割して各グループに分配するようにして、前記課題を解決したものである。
【０００９】
又、複数の測定ゲージから測定データを取込むための測定データの取込装置であって、測定データを取込むべきタイミングに応じて測定ゲージをグループ分けした取込テーブルと、単一のトリガ信号を時分割して各グループに分配するためのトリガ信号振分け手段と、各グループ毎に測定データを処理する手段、を備えることにより、同じく前記課題を解決したものである。
【発明の効果】
【００１０】
本発明によれば、１つのトリガ信号で、複数の測定ゲージからのデータ入力を、時間差を付けて入力可能となる。従って、ハードウェアのコストを低減し、ユーザのラインに合わせた柔軟な測定システムが可能となる。又、省配線のシステム構築が可能である。
【００１１】
よって、例えばステーションに対応する測定データ群毎に公差判定を行ない、異常が発生したステーションを迅速に知ることができる。又、最終的に総合公差信号として出力することも可能となる。
【発明を実施するための最良の形態】
【００１２】
以下図面を参照して、本発明の実施形態を詳細に説明する。
【００１３】
本実施形態は、例えば特許文献１で出願人が提案したような測定データの処理装置に適用できる。この測定データの処理装置は、図２に例示する如く、多点同時測定を行なうために、測定ゲージとなる例えば９台のデジタルダイヤルゲージ３０を備え、各デジタルダイヤルゲージ３０は、例えば図１に示したステーション毎にグループ分けされ、グループ毎に複数台（図では３台）接続可能な中継ユニット４０に接続されている。この中継ユニット４０は、隣接する前段及び後段の中継ユニットとケーブル４２を介して直列に接続され、端部に配置される中継ユニットは、例えばＲＳ２３２Ｃケーブル４４によってパソコン（ＰＣ）２０と接続されている。
【００１４】
各デジタルダイヤルゲージ３０は、本体３２と、この本体３２に摺動可能に設けられるスピンドル３４とを有し、本体３２の内部には、当該本体３２に固定される固定側検出素子及びスピンドル３４の摺動に同期して同方向に移動する可動側検出素子から構成される検出手段が収納されている。そして、本体３２及びスピンドル３４の相対変位量は、この検出手段によって電気信号に変換され、接続ケーブル３６によって各中継ユニット４０に送信され、更にケーブル４２、ＲＳ２３２Ｃケーブル４４を介してパソコン２０に送信される。
【００１５】
本実施形態においては、更に、ライン上でのワークの搬送を制御するシーケンサ５０から、ワークの搬送状態に合わせてパソコン２０にトリガ信号が入力されると共に、パソコン２０の総合判定結果ＧＯＮＧに応じて、該シーケンサ５０が各段階又は最終段階で不良品を排除するようにされている。
【００１６】
前記パソコン２０内には、シーケンサ５０から入力されるトリガ信号を、図３に示す如く時分割して、グループ毎に振り分けるための時分割回路２２と、該時分割回路２２の出力に応じてグループ毎にデータを取込むためのグループ取込テーブル２４と、該グループ取込テーブル２４に従って各デジタルダイヤルゲージ３０から入力されたデータにより、グループ毎に合否判定を行なう合否判定回路２６と、各合否判定回路２６の結果に応じて総合合否判定を行ない、結果（総合ＧＯＮＧ）をシーケンサ５０に出力する総合合否判定回路２８とが含まれている。
【００１７】
前記グループ取込テーブル２４には、図４に例示する如く、グループ毎にどのタイミングで測定データを取込むか設定されている。
【００１８】
従って、例えばベルトコンベア上を流れるワークの流れに合わせてシーケンサ５０から図３に示したようなトリガ信号が出力されると、パソコン２０は図４に示したような取込テーブルに従って、これをグループ毎に振分け、必要なタイミングで各グループ毎にデータを取込む。
【００１９】
そして、合否判定回路２６でグループ毎に合否判定を行なうと共に、総合合否判定回路２８で総合合否判定を行なう。
【００２０】
グループ毎の合否判定結果は、即座にシーケンサ５０に出力され、ステーション毎に不良ワークが排除されると共に、総合合否判定回路２８の結果に応じて、最終段階でも不良ワークが排除される。
【００２１】
このようにして、シーケンサ５０から出力される１つのトリガ信号で、複数のポイントからのデータ入力を、時間差を付けて入力可能となる。
【００２２】
なお、本実施形態では、グループ１が測定ポイント１〜３からなり、グループ２が測定ポイント４、７、８からなり、グループ３が測定ポイント５、６、９から構成されていたが、グループ数やグループ内の測定ポイントは、任意に設定できる。
【００２３】
又、本実施形態においては、接続する測定ゲージの構成（チャンネル、接続数等）が任意に可変なテーブルを複数持っているので、ハードウェアのコストを低減し、ユーザのラインに合わせた柔軟な測定システムが可能となる。なお、図４の例では、各グループの全てのチャンネルからデータを取込むように設定していたが、必要に応じて、一部を省略することも可能である。
【００２４】
又、１本のトリガ信号を時分割で各テーブルに対応させることで、複数のトリガ信号と同数の機能を有するようにしているので、省配線のシステム構築が可能である。
【００２５】
又、前記実施形態においては、測定ゲージとしてデジタルダイヤルゲージが用いられていたが、測定ゲージの種類はこれに限定されない。又、ケーブルの種類もＲＳ２３２Ｃケーブルに限定されない。
【図面の簡単な説明】
【００２６】
【図１】ワークの流れとステーションの関係を示す略図
【図２】本発明の実施形態の構成を示すブロック図
【図３】前記実施形態で用いられているトリガ信号のタイミングチャート
【図４】同じく取込テーブルの例を示す図
【符号の説明】
【００２７】
２０…パソコン
２２…時分割回路
２４…グループ取込テーブル
２６…合否判定回路
２８…総合合否判定回路
３０…デジタルダイヤルゲージ
４０…中継ユニット
４２、４４…ケーブル
５０…シーケンサ
【図１】
2006030087.tif 000003
【図２】
2006030087.tif 000004
【図３】
2006030087.tif 000005
【図４】
2006030087.tif 000006